(57)【要約】      （修正有）【課題】クッション材を使用しているユーザが体を動かした場合でも、快適さを維持するクッション材を提供する。【解決手段】クッション材１は、低反発ウレタンからなるシートにより構成され、内部空間を取り囲む被覆部材２０と、被覆部材２０に囲まれた内部空間を充填する複数の小片状のチップ３０等から構成される。そして、チップ３０として、低反発ウレタンにより構成された低反発チップ３１と、高反発ウレタンにより構成された高反発チップとが混合した状態で用いられている。【選択図】図１
0003205184.tif 000002
【実用新案登録請求の範囲】
【請求項１】
弾性を有するシートにより構成され、内部空間を取り囲む被覆部材（２０）と、
弾性素材により構成されており、前記被覆部材に囲まれた前記内部空間を充填する複数の小片状のチップ（３０）と、備え、
前記チップとして、第１チップ（３１）及び第２チップ（３２）を含む複数種類の前記チップが、混合した状態で用いられており、
各種類の前記チップは、反発力が異なっており、
前記第１チップとは、反発弾性率が１５％以下のウレタンである低反発ウレタンにより構成されており、前記第２チップとは、反発弾性率が３５％以上のウレタンである高反発ウレタンにより構成されており、
前記シートは、前記第１チップと同程度の反発力を有しており、
前記被覆部材の前記内部空間は、大きさの異なる複数の種類の前記チップにより充填されていること、
を特徴とするクッション材（１）。
【請求項２】
請求項１に記載のクッション材において、
前記クッション材は、枕として構成されていること、
を特徴とするクッション材。
【請求項３】
請求項２に記載のクッション材において、
枕である前記クッション材におけるユーザの頭部に当接する部分を、主面部分（２）とし、
前記被覆部材における前記主面部分に位置する部分（２１）は、熱伝導性ゲルを含有していること、
を特徴とするクッション材。
【請求項４】
請求項３に記載のクッション材において、
前記クッション材を覆うカバー部材（１０）をさらに備え、
前記主面部分として、第１主面部分（２）と、前記第１主面部分の反対側に位置する第２主面部分（３）とが設けられており、
前記被覆部材における前記第１主面部分に位置する部分（２１）は、前記熱伝導性ゲルを含有しており、
前記カバー部材における前記第１主面部分に当接する部分（１１）は、ユーザに冷感を与える素材により構成されており、前記第２主面部分に当接する部分（１２）は、ユーザに温感を与える素材により構成されていること、
を特徴とするクッション材。
【考案の詳細な説明】
【技術分野】
【０００１】
本考案は、クッション材に関する。
【背景技術】
【０００２】
複数の小片状の低反発弾性フォームチップが充填された枕が知られている（例えば、特許文献１）。このような枕によれば、使用時にユーザの頭部からの圧力が分散され、クッション性が高まると共に、安定性，フィット感，通気性が向上する。
【先行技術文献】
【特許文献】
【０００３】
【特許文献１】特開２００６−１１６０４０号公報
【考案の概要】
【考案が解決しようとする課題】
【０００４】
しかしながら、特許文献１の枕は低反発の材料から構成されているため、寝返り等によりユーザの頭部が動いても、枕の形状はすぐには元に戻らず、その結果、安定性やフィット感が損なわれ、快眠を妨げる恐れがあった。
【０００５】
本考案は、クッション材を使用しているユーザが体を動かした場合でも、快適さを維持することを目的とする。
【課題を解決するための手段】
【０００６】
本考案のクッション材は、弾性を有するシートにより構成され、内部空間を取り囲む被覆部材と、弾性素材により構成されており、被覆部材に囲まれた内部空間を充填する複数の小片状のチップと、備え、チップとして、第１チップ及び第２チップを含む複数種類のチップが、混合した状態で用いられており、各種類のチップは、反発力が異なっていること、を特徴とする。
【０００７】
低反発の弾性素材は、ユーザの体にフィットし、手触りが良いという長所がある。しかし、加圧により変形した状態から元の形に戻るまで時間を要し、重いと共に、該弾性素材を小片状のチップにすると、固まり易く、互いにくっつき易くなるという短所がある。
【０００８】
一方、高反発の弾性素材は、加圧により変形した状態から素早く元の形状に戻るため、これを用いたクッション材は、ユーザが動いた場合でもフィット感を維持できるという長所がある。また、通気性が良く、軽いという長所を有しているが、手触りが悪いという短所がある。
【０００９】
これに対し、本考案のクッション材は、弾性を有するシート（被覆部材）により囲まれた内部空間を、反発力の異なる２種類以上のチップの混合物で充填する構成となっている。
【００１０】
このため、被覆部材と低反発のチップとにより良好なフィット感や手触りの良さを提供できる。また、クッション材を使用しているユーザが動いた場合には、それまで押さえ付けられていた高反発のチップが素早く元の形に戻り、その結果、クッション材全体が適度な早さで元の形に戻るため、ユーザの体にフィットする。このため、クッションを使用しているユーザが体を動かした場合でも、快適さを維持できる。
【００１１】
また、２種類以上のチップを混合して用いているため、単一素材のチップを用いる場合よりもチップ同士がくっつき難くなり、ユーザが動いた際のフィット感やクッション性が向上する。また、高反発のチップが混合されているため、通気性が向上すると共に、軽量化を図ることができる。つまり、低反発のチップと高反発のチップを混合して用いることで、一方のチップの短所を他方のチップの長所で補うことができる。
【００１２】
なお、第１チップは、第２チップよりも反発力が小さく、シートは、第１チップと同程度の反発力を有していても良い。
こうすることにより、フィット感や手触りの良さが向上する。
【００１３】
また、被覆部材の内部空間は、大きさの異なる複数の種類のチップにより充填されていても良い。
こうすることにより、チップ同士がくっつくのを抑制できるため、ユーザが動いた際のフィット感やクッション性が向上する。
【００１４】
また、第１チップとは、低反発ウレタンにより構成されており、第２チップとは、高反発ウレタンにより構成されていても良い。
こうすることにより、低反発ウレタンにより、フィット感や手触りの良さを提供できると共に、ユーザの体が動いた場合には、高反発ウレタンにより、クッション材全体を適度な早さで元の形に戻し、ユーザの体にフィットさせることができる。このため、クッションを使用しているユーザが体を動かした場合でも、快適さを維持できる。
【００１５】
また、クッション材は、枕として構成されていても良い。
こうすることにより、ユーザが寝返りを打った際に、枕全体が適度な早さで元の形に戻り、ユーザの頭部にフィットする。このため、ユーザが寝返りを打った後も快適さが維持され、ユーザに快眠を提供できる。
【００１６】
また、枕であるクッション材におけるユーザの頭部に当接する部分を、主面部分とし、被覆部材における主面部分に位置する部分は、熱伝導性ゲルを含有していても良い。
このような構成によれば、夏場には主面部分に頭部を当接させた状態で枕を用いることで冷感を得ることができ、ユーザはより快適に眠ることができる。
【００１７】
また、クッション材を覆うカバー部材をさらに備え、主面部分として、第１主面部分と、第１主面部分の反対側に位置する第２主面部分とが設けられており、被覆部材における第１主面部分に位置する部分は、熱伝導性ゲルを含有しており、カバー部材における第１主面部分に当接する部分は、ユーザに冷感を与える素材により構成されており、第２主面部分に当接する部分は、ユーザに温感を与える素材により構成されていても良い。
【００１８】
このような構成によれば、夏場には第１主面部分に頭部を当接させた状態で枕を用いることで、冷感を得ることができ、冬場には第２主面部分に頭部を当接させた状態で枕を用いることで、温感を得ることができる。このため、ユーザは、より快適に眠ることができる。
【図面の簡単な説明】
【００１９】
【図１】本実施形態の枕の斜視図と、枕のＩ−Ｉ断面図である。
【考案を実施するための形態】
【００２０】
以下、本考案の実施形態について図面を用いて説明する。なお、本考案の実施の形態は、下記の実施形態に何ら限定されることはなく、本考案の技術的範囲に属する限り種々の形態を採りうる。
【００２１】
［構成の説明］
本実施形態の枕１（頭部用の枕）は、一例として、長手方向の長さが７０〜８０ｃｍ，短手方向の長さが５０〜６０ｃｍ、厚さが１０〜２０ｃｍ程度となっている。枕１は、カバー部材１０と、弾性を有するシートにより構成された袋状の部材である被覆部材２０と、被覆部材２０により取り囲まれた内部空間に充填された小片状のチップ３０とから構成されている（図１（ａ），（ｂ）参照）。
【００２２】
チップ３０は、低反発ウレタンにより構成される低反発チップ３１と、高反発ウレタンンにより構成される高反発チップ３２の２種類から構成されている。なお、一例として、低反発ウレタンとは、反発弾性率が１５％程度以下であるものが望ましく、高反発ウレタンは、反発弾性率が３５％以上のものが望ましい。また、チップ３０における高反発チップ３２の含有率は、一例として、１０％〜５０％程度であっても良い。さらに好適には、高反発チップ３２の含有率は１５％程度であっても良いが、枕１の大きさ，形状等に応じて、該含有率が異なるものとなるのは言うまでもない。
【００２３】
また、高反発チップ３２と低反発チップ３１に、低反発ウレタンや高反発ウレタンとは異なる素材により構成された１種類以上のチップを加えた状態で用いても良い。
また、反発弾性率が１５％以下のウレタンを低反発ウレタン、反発弾性率が１５％〜３５％のウレタンを中反発ウレタン、反発弾性率が３５％以上のウレタンを高反発ウレタンとし、これらのウレタンのうちの２種類以上を、チップ３０として用いても良い。
【００２４】
また、チップ３０として、大きさや形状の異なる複数の種類が設けられており、各チップ３０の最長部分の長さは、一例として、５ｃｍ以下となっている。そして、低反発チップ３１と高反発チップ３２や、大きさ，形状の異なるチップ３０が、混合された状態で被覆部材２０の内部空間に充填されている。なお、チップ３０は、低反発ウレタンの塊や高反発ウレタンの塊を粉砕することで製造されても良いし、これらをカットすることにより製造されても良い。
【００２５】
また、被覆部材２０を構成するシートは、低反発チップ３１に用いられている低反発ウレタンと同程度の反発弾性率を有する弾性素材（低反発ウレタン等）により構成されていても良い。無論、これに限らず、該シートは、低反発チップ３１とは異なる反発弾性率の弾性素材（例えば、高反発ウレタン等）により構成されていても良い。また、該シートの厚さは、一例として、０．５〜３ｃｍ程度であっても良い。
【００２６】
また、カバー部材１０は、チップ３０が充填された被覆部材２０を覆った状態で配される布状の部材である。
ここで、図１において、枕１の高さ方向の中央より上側の部分を、上側部分２とすると共に、中央より下側の部分を、下側部分３とする。枕１は、上側部分２と下側部分３のうちの一方がユーザの頭部に当接した状態で用いられ、上側部分２は夏用に、下側部分３は冬用に構成されている。
【００２７】
具体的には、被覆部材２０における上側部分２を構成する部分（上側被覆部材２１）には、熱伝導性ゲルが含有されている。なお、熱伝導性ゲルとは、熱伝導性の高いゲルであり、例えば、熱伝導性シリコンゲルや有機ゲルと熱伝導性フィラー等から構成されていても良い。
【００２８】
また、カバー部材１０における上側部分２を構成する部分（上側カバー部材１１）は、熱伝導率や吸水性の高い夏用の生地や接触冷感生地により構成されている。具体的には、これらの生地は、一例として、コットンや、レーヨンや、吸水性ポリエステル等から構成されていても良い。このため、上側部分２に頭部を当接した状態で枕１を使用すると、ユーザに冷感を与えることができる。
【００２９】
一方、カバー部材１０における下側部分３を構成する部分（下側カバー部材１２）は、冬用の生地により構成されている。具体的には、このような生地は、綿やポリエステル等により構成されていても良いし、ブランケット等として構成されていても良いし、保温効果や保湿効果や発熱効果等を得るための加工がなされたものであっても良い。このため、下側部分３に頭部を当接した状態で枕１を使用すると、ユーザに温感を与えることができる。
【００３０】
なお、被覆部材２０における下側部分３を構成する部分（下側被覆部材２２）にも、保温効果や保湿効果や発熱効果等を得るための加工がなされていても良い。
［効果］
本実施形態の枕１によれば、低反発ウレタンから構成された被覆部材２０と低反発チップ３１とにより良好なフィット感や手触りの良さを提供できる。また、枕１を使用しているユーザが動いた場合には、それまで押さえ付けられていた高反発チップ３２が素早く元の形に戻り、その結果、枕１全体が適度な早さで元の形に戻るため、ユーザの体にフィットする。このため、枕１を使用しているユーザが体を動かした場合でも快適さが維持され、より快適な睡眠を提供できる。
【００３１】
［他の実施形態］
（１）本実施形態の枕１は、頭部用の枕として構成されているが、枕１の構成を、抱き枕や、ユーザの膝下方に配される膝下枕や、ユーザの腰を支持する腰枕や、枕以外のクッション材（例えば、クッション，マットレス，敷布団，掛布団，敷パッド等）に適用しても良い。なお、抱き枕であれば、例えば、柱状，Ｓ字状，Ｌ字状，Ｕ字状等に、ひざ下枕であれば、断面が略三角形状の柱状に形成されていることが想定される。このような場合であっても、同様の効果が得られる。
【００３２】
また、枕１のチップ３０における高反発チップ３２の含有率は、一例として、１０％〜５０％程度（さらに好適には１５％程度）となっているが、枕１の構成が適用される物の大きさ，形状，用途等に応じて、該含有率が異なるものとなるのは言うまでもない。一例として、抱き枕であれば該含有率が３０％程度、腰枕やクッションであれば該含有率が５０％程度であっても良い。
【００３３】
（２）また、本実施形態の枕１に充填されたチップ３０は、低反発ウレタンからなる低反発チップ３１と、高反発ウレタンからなる高反発チップ３２とにより構成されている。しかしながら、これに限らず、ウレタン以外により構成された反発弾性率の異なる２種類のチップを用いても良い。具体的には、例えば、ウレタンのチップや、発泡ビーズ（ポリスチレンビーズや低反発の発砲ビーズ等）や、粒綿や、羽毛等の弾性素材のうちの２種類、或いは、２種類以上を、チップ３０として用いても良い。このような場合であっても、同様の効果が得られる。
【００３４】
（３）また、本実施形態の枕１は、高さ方向の中央より上側の部分（上側部分２）が全て夏用に構成されていると共に、下側の部分（下側部分３）が全て冬用に構成されている。しかしながら、上側部分２の一部分（一例として、上側部分２の長手方向の中央を短手方向に横断する帯状の部分）を夏用に構成し、下側部分３の一部分（上側部分２における夏用に構成された部分の反対側の部分）を冬用に構成しても良い。このような場合であっても、同様の効果が得られる。
【００３５】
［特許請求の範囲との対応］
上記実施形態の説明で用いた用語と、特許請求の範囲の記載に用いた用語との対応を示す。
【００３６】
低反発チップ３１が第１チップの一例に相当し、高反発チップ３２が第２チップの一例に相当する。また、上側部分２が第１主面部分の一例に相当し、下側部分３が第２主面部分の一例に相当する。
【符号の説明】
【００３７】
１…枕、２…上側部分、３…下側部分、１０…カバー部材、１１…上側カバー部材、１２…下側カバー部材、２０…被覆部材、２１…上側被覆部材、２２…下側被覆部材、３０…チップ、３１…低反発チップ、３２…高反発チップ
【図１】
0003205184.tif 000003